(57)【要約】【課題】  海苔網に付いた海苔を摘み取るときにムラなく確実に摘み取ることができ、しかもロータリーカッターを回転させるのに要する動力も比較的小さくてすむようにした海苔摘取装置を提供する。【解決手段】  海苔摘取装置(A)は、脚体(1)と、脚体(1)間に回転軸(21)を水平にし高さの調整ができるよう構成してあるロータリーカッター(2)と、ロータリーカッター(2)近傍に設けてある飛散防止体(3)と、ロータリーカッター(2)を駆動する原動機(4)と、所要数の海苔網誘導体(5)とを備えている。ロータリーカッター(2)は、回転軸(21)の軸周方向に所要数の刃体(24)を有しており、刃体(24)は回転軸(21)の軸線方向に複数に分割され、各刃体(24)の刃線部(240)は回転軸(21)の軸周方向において位置をずらしてある。刃線部(240)の方向は回転軸(21)の軸線方向と平行であり、刃体(24)には刃線部(240)の回転軌跡と同径の輪体(25)が回転軸(21)の軸線方向へ所要間隔で複数設けてある。【選択図】        図１
2005269942.tif 000002
【特許請求の範囲】
【請求項１】
海苔網(N)をロータリーカッター(2)の近傍を通るように移動させて海苔網(N)に付いている海苔を摘み取る海苔摘取装置であって、
ロータリーカッター(2)は回転軸(21)の軸周方向に所要数の刃体(24)を有しており、刃体(24)は回転軸(21)の軸線方向に複数に分割され、各刃体(24)の刃線部(240)は回転軸(21)の軸周方向において位置をずらしてあり、刃線部(240)の方向は回転軸(21)の軸線方向と本質的に平行であることを特徴とする、
海苔摘取装置。
【請求項２】
刃体(24)に刃線部(240)の回転軌跡と本質的に同径の輪体(25)が回転軸(21)の軸線方向へ所要間隔で複数設けてあることを特徴とする、
請求項１記載の海苔摘取装置。
【請求項３】
海苔網(N)をロータリーカッター(2)へ向け誘導する角度または高さを調整するための手段(5)を有していることを特徴とする、
請求項１または２記載の海苔摘取装置。
【請求項４】
脚体(1)と、
脚体(1)間に回転軸(21)を水平にし高さの調整ができるよう構成してあるロータリーカッター(2)と、
ロータリーカッター(2)近傍に設けてあり海苔の飛散を防止する飛散防止体(3)と、
ロータリーカッター(2)を駆動する原動機(4)と、
高さ及び水平方向の位置が調整でき、上下方向に回動して角度が調整できるよう設けてある所要数の海苔網誘導体(5)と、
を備えており、
ロータリーカッター(2)は、回転軸(21)の軸周方向に所要数の刃体(24)を有しており、
刃体(24)は回転軸(21)の軸線方向に複数に分割され、各刃体(24)の刃線部(240)は回転軸(21)の軸周方向において位置をずらしてあり、刃線部(240)の方向は回転軸(21)の軸線方向と本質的に平行であり、
刃体(24)には、刃線部(240)の回転軌跡と本質的に同径の輪体(25)が回転軸(21)の軸線方向へ所要間隔で設けてあることを特徴とする、
海苔摘取装置。
【発明の詳細な説明】
【技術分野】
【０００１】
本発明は、海苔摘取装置に関するものである。更に詳しくは、海苔網に付いた海苔を摘み取るときにムラなく確実に摘み取ることができ、しかもロータリーカッターを回転させるのに要する動力も比較的小さくてすむようにしたものに関する。
【背景技術】
【０００２】
養殖海苔は、海面に張った海苔網に付着して生育し、その採取にあたってはロータリーカッターを備えた海苔摘取装置によって摘み取られている。
従来の海苔摘取装置は、ロータリーカッターの刃体の刃線部が回転軸の軸線方向に緩やかに螺旋を描くように構成されており、常に刃線部の長手方向の一部だけが海苔を切るようにして負荷を小さくし、ロータリーカッターを回転させるのに要する動力も比較的小さくてすむようにしてある（特許文献１参照）。
【０００３】
【特許文献１】特開平１１−９８９１３号公報
【発明の開示】
【発明が解決しようとする課題】
【０００４】
刃が螺旋状に構成されたロータリーカッターを備えた海苔摘取装置には、次のような課題があった。
すなわち、上記構成を有する刃体は、刃線部の方向が刃の回転移動方向に対して直角ではなくやや傾斜している。切断の対象が比較的固いものか固定されたものであれば、直角であっても傾斜していても切断の効率にそれ程差はでない。
【０００５】
しかしながら、海苔摘取装置の場合は、ロータリーカッターによる切断の対象は、海苔網に付いている、やわらかく半流動的な海苔葉体である。このため、ロータリーカッターが高速で回転しているとはいえ、やわらかい海苔は、刃線部によって切断されるとき、刃線部が傾斜していることによる切断力の分力方向（回転軸の軸線方向）へ逃げてしまう。
従って、海苔網の全面において摘み取りムラ（摘み残し）が生じやすく、これに起因する次回摘み取り時の老化した海苔葉体の混入や、病害の発生などの諸問題を解決するための根本的な対策とはなっていなかった。
【０００６】
（本発明の目的）
本発明は、海苔網に付いた海苔を摘み取るときにムラなく確実に摘み取ることができ、しかもロータリーカッターを回転させるのに要する動力も比較的小さくてすむようにした海苔摘取装置を提供することを目的とする。
【課題を解決するための手段】
【０００７】
上記課題を解決するために本発明が講じた手段は次のとおりである。
第１の発明にあっては、
海苔網をロータリーカッターの近傍を通るように移動させて海苔網に付いている海苔を摘み取る海苔摘取装置であって、
ロータリーカッターは回転軸の軸周方向に所要数の刃体を有しており、刃体は回転軸の軸線方向に複数に分割され、各刃体の刃線部は回転軸の軸周方向において位置をずらしてあり、刃線部の方向は回転軸の軸線方向と本質的に平行であることを特徴とする、
海苔摘取装置である。
【０００８】
第２の発明にあっては、
刃体に刃線部の回転軌跡と本質的に同径の輪体が回転軸の軸線方向へ所要間隔で複数設けてあることを特徴とする、
第１の発明に係る海苔摘取装置である。
【０００９】
第３の発明にあっては、
海苔網をロータリーカッターへ向け誘導する角度または高さを調整するための手段を有していることを特徴とする、
第１または第２の発明に係る海苔摘取装置である。
【００１０】
第４の発明にあっては、
脚体と、
脚体間に回転軸を水平にし高さの調整ができるよう構成してあるロータリーカッターと、
ロータリーカッター近傍に設けてあり海苔の飛散を防止する飛散防止体と、
ロータリーカッターを駆動する原動機と、
高さ及び水平方向の位置が調整でき、上下方向に回動して角度が調整できるよう設けてある所要数の海苔網誘導体と、
を備えており、
ロータリーカッターは、回転軸の軸周方向に所要数の刃体を有しており、
刃体は回転軸の軸線方向に複数に分割され、各刃体の刃線部は回転軸の軸周方向において位置をずらしてあり、刃線部の方向は回転軸の軸線方向と本質的に平行であり、
刃体には、刃線部の回転軌跡と本質的に同径の輪体が回転軸の軸線方向へ所要間隔で設けてあることを特徴とする、
海苔摘取装置である。
【００１１】
特許請求の範囲及び明細書にいう「海苔網に付いている海苔」とは、海苔網に付着して生育している海苔葉体（葉状体）をいう。
【００１２】
刃体が回転軸の軸線方向に分割される数は、例えば２〜６であるが、更に多くてもよい。好ましくは、５である。分割される各刃体の回転軸の軸線方向の長さは同じであってもよいし、異なっていてもよい。
【００１３】
刃体の回転軸の軸周方向の数は特に限定するものではない。また、刃体の軸周方向の間隔は、等間隔でもよいし、異なっていてもよい。更に、分割された各刃体の刃線部は、回転軸の軸周方向においてすべてが異なる位置であってもよいし、一部が互いに同じ位置にあってもよい。
【００１４】
（作用）
本発明に係る海苔摘取装置の作用を説明する。なお、ここでは、本発明の各構成要件のそれぞれに、後述する実施の形態において各部に付与した符号を対応させて付与し説明するが、この符号の付与は、あくまで説明の理解を容易にするためであって、各構成要件の上記各部への限定を意味するものではない。
【００１５】
海苔摘取装置を海苔採取船に載せ、ロータリーカッター(2)を駆動しながら、海苔採取船を養殖場の海面に張ってある海苔網(N)の下に潜らせるようにして移動させる。
これにより、海苔網(N)はロータリーカッター(2)の近傍を通って相対的に移動し、海苔網(N)に付いている海苔（海苔葉体）は、回転しているロータリーカッター(2)の各刃体(24)の刃線部(240)によって切断され、摘み取られる。
【００１６】
なお、ロータリーカッター(2)の刃体(24)は回転軸(21)の軸線方向に複数に分割され、各刃体(24)の刃線部(240)は回転軸(21)の軸周方向において位置をずらしてある。これにより、ロータリーカッター(2)が回転して各刃体(24)が刃線部(240)で海苔を切断するときに、各刃線部(240)が海苔網(N)の送り方向において同じ位置にある海苔を一度に切断することはなく、切断時の負荷も分散されるので、ロータリーカッター(2)を回転させるのに要する動力も比較的小さくてすむ。
【００１７】
しかも、刃線部(24)の方向は回転軸(21)の軸線方向と本質的に平行である。これにより、刃線部が螺旋を描くよう構成してある従来のものとは相違して、海苔を切断するときの切断力の分力（回転軸の軸線方向）は発生せず、やわらかく半流動的な海苔葉体もより強い切断力で確実に切断することができる。
【００１８】
刃体(24)に刃線部(240)の回転軌跡と本質的に同径の輪体(25)が回転軸(21)の軸線方向へ所要間隔で複数設けてあるものは、海苔網(N)が垂れてロータリーカッター(2)に接触した場合でも、海苔網(N)が直接刃体(24)の刃線部(240)に接触することを輪体(25)によって防止または軽減することができる。
【００１９】
海苔網(N)をロータリーカッター(2)へ向け誘導する角度または高さを調整するための手段(5)を有しているものは、次のように作用する。
すなわち、海苔採取船における海苔摘取装置(A)の船の進行方向における据え付け位置を変えた場合、ロータリーカッター(2)へ向け誘導される海苔網(N)の角度も変わるが、この手段によって海苔網(N)の誘導角度を海苔の摘み取りに好適な角度または高さに適宜調整することができる。
【発明の効果】
【００２０】
（ａ）本発明によれば、ロータリーカッターの刃体は回転軸の軸線方向に複数に分割され、各刃体の刃線部は回転軸の軸周方向において位置をずらしてある。これにより、ロータリーカッターが回転して各刃体が刃線部で海苔を切断するときに、各刃線部が海苔網の送り方向において同じ位置にある海苔を一度に切断することはなく、切断時の負荷も分散されるので、ロータリーカッターを回転させるのに要する動力も比較的小さくてすむ。
また、刃線部の方向は回転軸の軸線方向と本質的に平行である。これにより、刃線部が螺旋を描くよう構成してある従来のものとは相違して、海苔を切断するときの切断力の分力（回転軸の軸線方向）は発生せず、やわらかく半流動的な海苔葉体もより強い切断力で確実に切断することができる。
従って、海苔網の全面において摘み取りムラ（摘み残し）が生じにくく、これに起因する次回摘み取り時の老化した海苔葉体の混入や、病害の発生などの諸問題を解決することができる。
【００２１】
（ｂ）刃体に刃線部の回転軌跡と本質的に同径の輪体が回転軸の軸線方向へ所要間隔で設けてあるものは、海苔網が垂れてロータリーカッターに接触した場合でも、海苔網が直接刃体の刃線部に接触することを輪体によって防止または軽減することができる。これにより、刃体の刃線部や海苔網の損傷を防止することができる。
【００２２】
（ｃ）海苔網をロータリーカッターへ向け誘導する角度または高さを調整するための手段を有しているものは、海苔採取船における海苔摘取装置の船の進行方向における据え付け位置を変えた場合、ロータリーカッターへ向け誘導される海苔網の角度も変わるが、この手段によって海苔網の誘導角度を海苔の摘み取りに好適な角度または高さに適宜調整することができる。
【発明を実施するための最良の形態】
【００２３】
本発明を図に示した実施例に基づき詳細に説明する。
【実施例】
【００２４】
図１は本発明に係る海苔摘取装置の一実施の形態を示す斜視図、
図２は図１に示す海苔摘取装置の側面視説明図、
図３は図１に示す海苔摘取装置の断面説明図、
図４は海苔摘取装置の他方向斜視図である。
【００２５】
海苔摘取装置Ａは、海苔採取船に据え付けて、海苔採取船を海苔網の下に潜らせながら海苔網をロータリーカッターの近傍を通るように移動させて海苔網に付いている海苔を摘み取るものである。
海苔摘取装置Ａは、脚体１、１ａ、ロータリーカッター２、飛散防止体３、原動機４及び海苔網誘導体５を備えている。各部について詳細に説明する。
【００２６】
（脚体１、１ａ）
脚体１、１ａは、金属製のパイプでほぼ同じ形状につくられており、後述するロータリーカッター２の回転軸の軸線方向の長さとほぼ同じ間隔をもって二箇所に配されている。脚体１、１ａは、ほぼ逆Ｖ字形状に形成され、上部には円弧部１０が形成されている。円弧部１０の半径（外径）は、ロータリーカッター２の半径よりやや径大に形成されている（図２、図３参照）。
【００２７】
脚体１、１ａの下部両側は、ほぼ垂直に設けてあり、両下端部には円形の座板１１が設けてある。また、脚体１、１ａの高さ方向中間部には、補強体１２が両側をつないで水平に固着されている。
図１において右側の脚体１の補強体１２の左側には、後述する原動機４のケーシング４０を取り付ける部分となる取付軸体１３が補強体１２と直角にかつ水平に突出して設けてある。
【００２８】
脚体１、１ａの上部寄りには、ロータリーカッター２を回転可能に取り付けるための支持板１４が固着してある。
図１において右側の脚体１の支持板１４の下には、補強体１４０が水平に設けてある。補強体１４０の中間部には、四角形の開口部を形成するよう、平面視コ字形状の枠体１４１が水平に突出して設けてある。
【００２９】
脚体１、１ａのうち海苔網の誘導上手側間（図２において左側）には、補強体１５が両端部を各脚体１に固着して水平に設けてある。
また、脚体１、１ａのうち海苔網の誘導下手側間（図２において右側）の上部には、補強を兼ねた案内体１６が両端部を脚体１、１ａの円弧部１０に固着して水平に設けてある。案内体１６は、外表面が断面形状円弧状に形成されており、海苔網を案内する際の摩擦による抵抗を軽減することができる。
【００３０】
案内体１６の下には、ロータリーカッター２で切断された海苔が飛散するのを止めるための飛散防止体３が、脚体１、１ａ間の全幅にわたり設けてある。飛散防止体３は、上部側のステンレス鋼製の止板３０と、その下に固定されたゴム製の幕板３１で構成されている。幕板３１の下部は固定されておらず、振動できるようになっている。
また、案内体１６の中間部から補強体１５の中間部にかけて、中間誘導材１７が設けてある。中間誘導材１７は、脚体１、１ａの投影形状に重なるように、部分的にほぼ同じ形状に形成してある（図１、図３参照）。
【００３１】
（ロータリーカッター２）
脚体１、１ａの支持板１４間に取り付けられるロータリーカッター２はステンレス鋼製で、回転中心部に全長にわたり管体２０が設けてある。管体２０の両端部には回転軸２１が軸線を同じにして固着されている。各回転軸２１は、それぞれ軸受２２によって軸支してある。
【００３２】
図２に示すように、各軸受２２は一方側を軸ボルト２２０によって回動可能に軸支し、他方側には縦方向に円弧状の長孔２２１を設け、長孔２２１を貫通した固定ボルト２２２によって支持板１４に締め付け固定することにより、回転軸２１の高さを一定の範囲で調整できるよう構成してある。
【００３３】
ロータリーカッター２の管体２０には、軸線方向（長手方向）に六枚の円形の区画板２３が設けてある。区画板２３は、管体２０の両端部と、それらの間に等間隔で設けられている。ロータリーカッター２には、各区画板２３によって軸線方向に五箇所に区画されて区画部ｄ１、ｄ２、ｄ３、ｄ４、ｄ５が設けてある。
【００３４】
各区画部ｄ１、ｄ２、ｄ３、ｄ４、ｄ５の各区画板２３間には、軸周方向に等間隔（１２０°間隔）で三箇所に刃体２４が設けてある。各刃体２４の先端部は回転方向へ曲げられ、その先端縁が切断部である刃線部（刃部）２４０となっている。刃線部２４０は、各区画板２３の外周部とほぼ面一の位置にあり、ロータリーカッター２の回転軸２１の軸線方向と平行に設定してある。
【００３５】
刃線部２４０は、隣合う区画部（ｄ１とｄ２、ｄ２とｄ３、ｄ３とｄ４、ｄ４とｄ５）では、回転軸２１の軸周方向において位置を６０°ずらしてある。つまり、図に示すように、区画部ｄ１、ｄ３、ｄ５で軸周方向において同じ位置にあり、区画部ｄ２、ｄ４で軸周方向の同じ位置にある。
また、各区画板２３間には、等間隔でそれぞれ三箇所に円形の輪体２５が取り付けてある。輪体２５は、各刃体２４の先端部に固着してあり、区画板２３とほぼ同じ直径を有している。
【００３６】
図１において右側の脚体１側に位置する回転軸２１には、軸受２２外側にプーリ２６が固着してある。
取付軸体１３には、原動機４を内蔵しているケーシング４０が取り外しができるようにして装着されている。原動機４はガソリンエンジンである。
ケーシング４０の下部の一方側（図１において左側）には、円形の装着孔４１が設けてある。また、原動機４の駆動軸４２には、上記プーリ２６より径小のプーリ４３が固着してある。
【００３７】
ケーシング４０は、図１に示すように装着孔４１を取付軸体１３に軸周方向に回動できるようにして嵌め入れてある。更に、プーリ２６とプーリ４３間に、枠体１４１の内側に通すようにしてベルト４４が回し掛けてあり、取付軸体１３とベルト４４によって、ケーシング４０と原動機４の重量を支えるようになっている。また、ベルト４４にかかる重量（取付軸体１３を回動中心とする、ケーシング４０が下方へ回動しようとする力）が、ベルト４４に対し駆動力の伝達に十分なテンションを与えている。
【００３８】
脚体１、１ａの補強体１２間には、金属製のパイプで形成された平面視でコ字形状の調整体５０が設けてある。調整体５０は、各補強体１２に取付具５１によって取り付けてあるＬ字形状の固定部材５００と、各固定部材５００の向き合った先端部間に軸周方向に回動できるようにして両端部を差し込んで掛け渡された軸部材５０１を有している。なお、軸部材５０１の軸周方向の回動は、固定部材５００の先部（軸部材５０１が差し込まれた部分）に厚み部を貫通して螺合された固定ボルト５０２を締め付けることによって任意の軸周角度で固定できる。
【００３９】
調整体５０の軸部材５０１には、軸線方向に等間隔で四箇所に海苔網誘導体５が固着してある。海苔網誘導体５は、下側の直線材５２と上側の湾曲材５３からなり、湾曲材５３は先部側が円弧状に湾曲させてある。各海苔網誘導体５は、軸部材５０１と直角にかつ互いに軸周方向において同じ角度になるよう平行に設けてある。湾曲材５３によって、海苔網をロータリーカッター２へ向け円滑に誘導できる。
【００４０】
調整体５０の各固定部材５００を各補強体１２に取り付ける取付具５１は、各補強体１２に固着してあるベース板５１０を有している。ベース板５１０の表面側には、上部に設けられた軸ボルト５１１を中心として回動できるようにして四角形上の可動板５１２が設けてある。可動板５１２の表面には、斜め方向（図２において左上がり方向）に案内管５１６が固着してある。案内管５１６には、厚み部を貫通して固定ボルト５１７が螺合されている。
【００４１】
ベース板５１０の下部には、軸ボルト５１１を同心とする円弧上の二箇所に調整孔５１３が設けてある（一方は隠れて見えない）。また、可動板５１２の下部には、可動板５１２を回動させることで各調整孔５１３に合わせることができる通孔（図では隠れて見えない）が設けてある。
そして、各調整孔５１３と通孔を合わせて固定ボルト・ナット５１４で締め付け固定することにより、可動板５１２の上下方向の角度が二段階に調整できる。
【００４２】
調整体５０の各固定部材５００は、取付具５１の案内管５１６に挿通され、固定ボルト５１７を締め付けることによって固定されている。この構造により、各固定部材５００の進退位置は、適宜調整できる。
更に、上記したように可動板５１２の角度が二段階に調整できるので、調整体５０の軸部材５０１に固定されている海苔網誘導体５は、高さ及び水平方向の位置が調整でき、上下方向に回動して角度が調整できる。
【００４３】
（作用）
図５は海苔摘取装置の使用状態説明図である。図１ないし図５を参照して本実施の形態に係る海苔摘取装置Ａの作用を説明する。
【００４４】
図５に示すように、海苔摘取装置Ａを海苔採取船Ｓに載せて据え付ける。次に、ロータリーカッター２を原動機４で駆動しながら、海苔採取船Ｓを養殖場の海面に張ってある海苔網Ｎの下に潜らせるようにして移動させる。
このとき、各海苔網誘導体５によって、海苔網Ｎの誘導角度が海苔の摘み取りに好適な角度または高さになるよう適宜調整する。
【００４５】
これにより、海苔網Ｎは各海苔網誘導体５の上を滑るように誘導され、ロータリーカッター２の上部を通って相対的に移動する。そして、海苔網Ｎに付いている海苔（海苔葉体）は、回転しているロータリーカッター２の各刃体２４の刃線部２４０によって切断され、摘み取られる。摘み取られた海苔は、船底に溜まる。
【００４６】
なお、海苔網Ｎが垂れて回転しているロータリーカッター２に接触した場合でも、刃体２４に設けてある輪体２５によって、海苔網Ｎが直接刃体２４の刃線部２４０に接触することを防止または軽減することができる。
【００４７】
なお、ロータリーカッター２の刃体２４は区画部ｄ１、ｄ２、ｄ３、ｄ４、ｄ５において分割されており、刃線部２４０は隣合う区画部では回転軸２１の軸周方向において位置をずらしてある。これにより、ロータリーカッター２が回転して各刃体２４が刃線部２４０で海苔を切断するときに、各刃線部２４０が海苔網の送り方向において同じ位置にある海苔を一度に切断することはない。
【００４８】
具体的には、区画部ｄ１、ｄ３、ｄ５の刃体２４の刃線部２４０が同時に海苔を切断し、瞬間的ではあるが時間をずらして区画部ｄ２、ｄ４の刃体２４の刃線部２４０が同時に切断する。これにより、海苔切断時のロータリーカッター２にかかる負荷も分散されるので、ロータリーカッター２を回転させるのに要する動力も比較的小さくてすむ。
【００４９】
しかも、各刃線部２４０の方向は回転軸２１の軸線方向と本質的に平行である。これにより、刃線部２４０が螺旋を描くよう構成してある従来のものとは相違して、海苔を切断するときの切断力の分力（回転軸の軸線方向）は発生せず、やわらかく半流動的な海苔葉体もより強い切断力で確実に切断することができる。
【００５０】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００５１】
【図１】本発明に係る海苔摘取装置の一実施の形態を示す斜視図。
【図２】図１に示す海苔摘取装置の側面視説明図。
【図３】図１に示す海苔摘取装置の断面説明図。
【図４】海苔摘取装置の他方向斜視図で、（ａ）は上方斜視図、（ｂ）は下方斜視図。
【図５】海苔摘取装置の使用状態説明図。
【符号の説明】
【００５２】
Ａ  海苔摘取装置
１、１ａ  脚体
１０  円弧部
１１  座板
１２  補強体
１３  取付軸体
１４  支持板
１４０  補強体
１４１  枠体
１５  補強体
１６  案内体
１７  中間誘導材
２  ロータリーカッター
２０  管体
２１  回転軸
２２  軸受
２２０  軸ボルト
２２１  長孔
２２２  固定ボルト
２３  区画板
２４  刃体
２４０  刃線部
２５  輪体
２６  プーリ
３  飛散防止体
３０  止板
３１  幕板
４  原動機
４０  ケーシング
４１  装着孔
４２  駆動軸
４３  プーリ
４４  ベルト
５  海苔網誘導体
５０  調整体
５００  固定部材
５０１  軸部材
５０２  固定ボルト
５１  取付具
５１０  ベース板
５１１  軸ボルト
５１２  可動板
５１３  調整孔
５１４  ボルト・ナット
５１６  案内管
５１７  固定ボルト
５２  直線材
５３  湾曲材
Ｎ  海苔網
Ｓ  海苔採取船
ｄ１、ｄ２、ｄ３、ｄ４、ｄ５  区画部
【図１】
2005269942.tif 000003
【図２】
2005269942.tif 000004
【図３】
2005269942.tif 000005
【図４】
2005269942.tif 000006
【図５】
2005269942.tif 000007